(57)【要約】  本開示は歪みの小さなラウドスピーカを提供することを目的とする。本開示の磁気回路は、この課題を解決するために、第１対向部を有したヨークと、第２対向部を含む磁気部とを含んでいる。磁気部は、磁気ギャップに対して磁力を供給している。第２対向部は、第１対向部と磁気ギャップを介して対向している。そして、第２対向部の第２上端は、第１対向部の第１上端から第１の距離だけ離れて配置されている。一方、第２対向部の第２下端は、第１対向部の第１下端から、第１の距離よりも離れて配置されている。これにより、第１上端と第２上端との間の磁気抵抗は、第１下端と第２下端との間の磁気抵抗よりも小さくなる。したがって、第１上端と第２上端との間に磁束が集中し、磁気ギャップでの磁束密度の歪みを小さくできる。
2016051744.tif 000002
【特許請求の範囲】
【請求項１】
上面と、前記上面の反対の下面を有した底部と、第１上端と前記第１上端よりも前記底部に近い第１下端とを有し、前記底部と磁気的に結合された第１対向部とを含むヨークと、前記第１上端から第１の距離だけ離れて配置された第２上端と、前記第２上端よりも前記底部に近く、かつ前記第１下端から前記第１の距離よりも大きな第２の距離だけ離れて配置された第２下端とを有し、前記第１対向部と磁気ギャップを介して対向した第２対向部を含み、前記磁気ギャップに対して磁力を供給するように前記ヨークと結合された磁気部と、を備えた、
磁気回路。
【請求項２】
前記第１対向部は、前記底部に対して垂直に設けられ、
かつ前記第２対向部は、前記第１対向部に対して傾斜した、
請求項１に記載の磁気回路。
【請求項３】
前記磁気部は、ラジアル方向に着磁された環状の磁石を有した、
請求項２に記載の磁気回路。
【請求項４】
前記磁石は、複数の分割磁石を環状に配置して形成された、
請求項３に記載の磁気回路。
【請求項５】
前記磁気部は、ボンド磁石によって形成された、
請求項３に記載の磁気回路。
【請求項６】
前記磁気部は、前記ヨークに結合された第１極と、前記第１極の反対の第２極を有した磁石と、前記第２極に結合され、かつ前記第２対向部を有した環状のプレートと、を含んだ、
請求項１に記載の磁気回路。
【請求項７】
前記磁石の前記第１極は、前記底部の前記上面に搭載された、
請求項６に記載の磁気回路。
【請求項８】
前記プレートは、前記第２上端で前記第２対向部と連結され、かつ前記第２対向部と第１の角度で交わる第１面と、前記第２下端で前記第２対向部と連結され、かつ前記第２対向部と第１の角度よりも大きな第２の角度で交わる第２面とを有した、請求項６に記載の磁気回路。
【請求項９】
前記第１の角度は、鋭角である、
請求項８に記載の磁気回路。
【請求項１０】
前記第２の角度は、鈍角である、
請求項８に記載の磁気回路。
【請求項１１】
前記第２対向部は、前記底部に対して垂直に立って設けられ、
かつ前記第１対向部は、前記第２対向部に対して傾斜した、
請求項１に記載の磁気回路。
【請求項１２】
前記第１対向部および前記第２対向部は、前記底部の前記上面の垂線に対して、傾斜した、
請求項１に記載の磁気回路。
【請求項１３】
フレームと、
外周が前記フレームに連結された振動板と、
第１端部と、第２端部を有し、前記第１端部が前記振動板に結合され、前記第２端部が磁気ギャップへ挿入されたボイスコイル体と、
上面と、前記上面の反対の下面を有した底部と、第１上端と第１下端とを有し、前記第１下端で前記底部と磁気的に結合された第１対向部とを含むヨークと、前記第１上端から第１の距離だけ離れて配置された第２上端と、前記第１下端から前記第１の距離よりも大きな第２の距離だけ離れて配置された第２下端とを有し、前記第１対向部と前記磁気ギャップを介して対向した第２対向部を含み、前記磁気ギャップに対して磁力を供給するように前記ヨークと結合された磁気部とを含む磁気回路と、を備えた、
ラウドスピーカ。
【発明の詳細な説明】
【技術分野】
【０００１】
本開示は、各種の音響機器に搭載する磁気回路と、これを用いたラウドスピーカに関する。
【背景技術】
【０００２】
以下、従来の磁気回路について説明する。従来の磁気回路は、ヨークと、磁石とを含んでいる。磁石は、環状であり、内周に設けられた第１極と、外周に設けられた第２極を有している。そして、磁石は、第１極から第２極に向かってラジアル方向に着磁されている。ヨークは、底部とセンターポールを含んでいる。センターポールは、底部の中央に設けられている。また、センターポールは、底部から垂直に立っている。【０００３】
そして、磁石の第２極は、ヨークと結合されている。一方、磁石の第１極は、センターポールの外周の側面と対向して配置されている。そして、磁石の第１極とセンターポールの外周の側面との間に磁気ギャップが形成されている。【０００４】
なお、この出願の発明に関連する先行技術文献情報としては、例えば、特許文献１が知られている。
【先行技術文献】
【特許文献】
【０００５】
【特許文献１】特開平１−３００６９６号公報
【発明の概要】
【０００６】
しかしながら従来の磁気回路では、磁石において底面と対向した下面から、センターポールへと磁束が漏洩する。そしてこの漏洩した磁束により、磁気ギャップの下端部での磁束密度は、磁気ギャップの上端部での磁束密度よりも大きくなる。すなわち、磁気ギャップでの磁束密度分布が非対称となり偏りが生じる。そしてこのような従来の磁気回路へ挿入されたボイスコイルが上下に振動する場合、磁気ギャップにおける磁束密度分布の偏りによって、ボイスコイルの振動に乱れが生じる。したがって、ラウドスピーカの音の歪みが大きいという課題を有していた。
【０００７】
そこで本開示は、この問題を解決したもので、音の歪みの小さなラウドスピーカを提供することを目的としたものである。
【０００８】
この目的を達成するために、本開示の磁気回路は、ヨークと、磁気部とを含んでいる。ヨークは、底部と、第１対向部とを含んでいる。第１対向部は、底部と磁気的に結合されている。なお、底部は、上面と下面とを含み、下面は上面の反対に設けられている。
【０００９】
一方、磁気部は、ヨークと結合されている。また、磁気部は、第２対向部を含んでいる。第２対向部は、第１対向部と磁気ギャップを介して対向している。そして、磁気部は、磁気ギャップに対して磁力を供給している。
【００１０】
以上の構成において、第１対向部は、第１上端と第１下端とを有している。なお、第１下端は、第１上端よりも底部に近い位置に配置されている。また、第２対向部は、第２上端と、第２下端とを含んでいる。第２上端は、前記第１上端から第１の距離だけ離れて配置されている。一方、第２下端は、第１下端から第２の距離だけ離れて配置されている。さらに、第２下端は、第２上端よりも底部に近い位置に配置されている。そして、第２の距離を、第１の距離よりも大きくしたものである。これにより所期の目的を達成することができる。
【００１１】
以上のように本開示によれば、第２の距離が、第１の距離よりも大きいので、第１上端と第２上端との間の磁気抵抗は、第１下端と第２下端との間の磁気抵抗よりも小さくなる。したがって、第１上端と第２上端との間の磁束密度を増加させることができる。その結果、第１上端と第２上端との間の磁束密度が増加する。また第２下端での磁束の漏洩を小さくできる。その結果、磁気ギャップにおける磁束密度分布の偏りを小さくできるので、ラウドスピーカの音の歪みを小さくできる。
【図面の簡単な説明】
【００１２】
【図１】本開示の実施の形態１におけるラウドスピーカの上面図。
【図２Ａ】本開示の実施の形態１におけるラウドスピーカの断面図。
【図２Ｂ】本開示にかかる好ましいラウドスピーカの断面図。
【図３】本開示の実施の形態１のラウドスピーカにおける磁気回路を側面から見た断面図。
【図４Ａ】本開示の実施の形態１のラウドスピーカにおける磁気回路の磁気特性を示した特性図。
【図４Ｂ】比較例の磁気回路の磁気特性を示した特性図。
【図４Ｃ】本開示の実施の形態１のラウドスピーカ及び比較例の磁気回路における特性曲線の測定点を示す説明図。
【図５】本開示の実施の形態１のラウドスピーカにおける磁気回路の変形例１にかかる上面図。
【図６】本開示の実施の形態１のラウドスピーカにおける磁気回路の変形例２にかかる断面図。
【図７】本開示の実施の形態１のラウドスピーカにおける磁気回路の変形例３にかかる断面図。
【図８】本開示の実施の形態２における内磁型の磁気回路の断面図。
【図９】本開示の実施の形態２における内磁型の磁気回路の変形例にかかる断面図。
【図１０】本開示の実施の形態３における外磁型の磁気回路の断面図。
【図１１】本開示の実施の形態３における外磁型の磁気回路の変形例にかかる断面図。
【発明を実施するための形態】
【００１３】
以下本実施の形態における磁気回路を用いたラウドスピーカについて説明する。
【００１４】
（実施の形態１）
以下、本実施の形態におけるラウドスピーカ５１について図面を用いて説明する。
【００１５】
図１は、本実施の形態におけるラウドスピーカ５１の上面図である。図２Ａは、ラウドスピーカ５１の断面図である。図３は、ラウドスピーカ５１にかかる磁気回路５２の拡大断面図である。なお、図２Ａは、図１の断面線２Ａ−２Ａによって切断された断面図を示している。
【００１６】
ラウドスピーカ５１は、磁気ギャップ５２Ａが形成された磁気回路５２と、フレーム５３と、振動板５４と、ボイスコイル体５５とを含んでいる。振動板５４の外周は、フレーム５３に連結されている。ボイスコイル体５５は、第１端部と、第２端部を有している。ボイスコイル体５５の第１端部は、振動板５４に結合されている。一方、ボイスコイル体５５の第２端部は、磁気ギャップ５２Ａへ挿入されている。
【００１７】
磁気回路５２は、ヨーク６１と、磁気部７１とを含んでいる。ヨーク６１は、底部６２と、第１対向部８１とを含んでいる。底部６２は、上面６２Ａと、下面６２Ｂとを含んでいる。なお、下面６２Ｂは、底部６２において上面６２Ａの反対側に設けられている。
【００１８】
磁気部７１は、ヨーク６１と結合されている。
【００１９】
また、磁気部７１は、第２対向部８２を含んでいる。第２対向部８２は、第１対向部８１と磁気ギャップ５２Ａを介して対向している。すなわち、第１対向部８１と第２対向部８２との間に磁気ギャップ５２Ａが形成されている。そして、磁気部７１は、磁気ギャップ５２Ａに対して磁力を供給している。
【００２０】
第１対向部８１は、第１上端８１Ａと第１下端８１Ｂとを有している。なお、第１対向部８１は、第１下端８１Ｂで底部６２と磁気的に結合されている。また、第２対向部８２は、第２上端８２Ａと、第２下端８２Ｂとを含んでいる。第２上端８２Ａは、第１上端８１Ａから第１の距離５２Ｂだけ離れて配置されている。一方、第２下端８２Ｂは、第１下端８１Ｂから第２の距離５２Ｃだけ離れて配置されている。そして、第２の距離５２Ｃを、第１の距離５２Ｂよりも大きくしている。なお、磁気ギャップ５２Ａは、第１対向部８１と第２対向部８２との間にある空間であって、第２上端８２Ａから第１対向部８１へ向かう、第１対向部８１に対し垂直な面と、第２下端８２Ｂから第１対向部８１へ向かう、第１対向部８１に対し垂直な面とで挟まれた空間を表す。第１上端８１Ａはこの空間の上端に位置し、第１下端８１Ｂはこの空間の下端に位置する。
【００２１】
以上の構成により、第２の距離５２Ｃは、第１の距離５２Ｂよりも大きいので、第１上端８１Ａと第２上端８２Ａとの間の磁気抵抗は、第１下端８１Ｂと第２下端８２Ｂとの間の磁気抵抗よりも小さくなる。したがって、第１上端８１Ａと第２上端８２Ａとの間の磁束密度が増加する。その結果、磁気ギャップ５２Ａにおける磁束密度の分布の偏りを小さくできるので、ラウドスピーカ５１の音の歪みを小さくできる。
【００２２】
（ラウドスピーカ５１の詳細について）
以下、ラウドスピーカ５１についてさらに詳しく説明する。
【００２３】
（磁気回路５２）
磁気回路５２は、フレーム５３内に収納されている。この場合、フレーム５３の中央の下端部の内面に固定されている。
【００２４】
（振動板５４）
振動板５４は、フレーム５３の内周の前端部に結合されている。振動板５４は、振動板本体部５４Ａとエッジ５４Ｂを含む。この場合、エッジ５４Ｂは環状である。そしてエッジ５４Ｂの内周部は、振動板本体部５４Ａの外周部に結合されている。一方、エッジ５４Ｂの外周部は、フレーム５３に連結されている。
【００２５】
（ボイスコイル体５５）
ボイスコイル体５５は、ボイスコイル５５Ａと、ボビン５５Ｂを含んでいる。ボビン５５Ｂは、円筒状である。そして、ボイスコイル５５Ａは、ボビン５５Ｂの外周の側面に巻き回されている。この場合、ボビン５５Ｂが振動板５４へ結合されている。
【００２６】
ラウドスピーカ５１は、さらに端子（図示せず）および導線（図示せず）を含んでいる。端子は、ボイスコイル５５Ａと電気的に接続されている。導線は端子５６とボイスコイル５５Ａとの間を接続している。導線は、たとえば金糸線などを用いることができる。この構成により、端子へ供給した信号がボイスコイル５５Ａへと供給されている。そして、ボイスコイル５５Ａは、端子５６へ供給した信号に基づいて振動する。
【００２７】
次に、磁気回路５２について、図３を参照しながら説明する。磁気回路５２は、上部５２Ｄと、上部５２Ｄの反対の下部５２Ｅを有している。磁気ギャップ５２Ａは、磁気回路５２の上部５２Ｄに形成されている。
【００２８】
（ヨーク６１）
ヨーク６１は、磁性体金属によって形成されている。ヨーク６１は、たとえば、鉄などによって形成されている。ヨーク６１は、さらにセンターポール６３を含む。センターポール６３は、底部６２の中央に設けられている。さらに、センターポール６３は、柱状であり、底部６２から上部５２Ｄに向かって突出している。センターポール６３は、底部６２と一体で成形されている。
【００２９】
（第１対向部８１）
第１対向部８１は、センターポール６３の外周の側面に形成されている。
【００３０】
（磁気部７１）
磁気部７１は、磁気ギャップ５２Ａへ磁力を供給する磁石７２を含んでいる。磁石７２は、第１極７２Ａと、第２極７２Ｂを有している。なお、第２極７２Ｂは、第１極７２Ａの反対に形成されている。さらに、第１極７２Ａと第２極７２Ｂとは、平行である。そして、第１極７２Ａは、ヨーク６１と磁気的に結合されている。たとえば、第１極７２ＡがＳ極である場合、第２極７２ＢがＮ極である。
【００３１】
磁気部７１は、さらに環状の第１プレート７４を含む。第１プレート７４は、たとえば、鉄などによって形成できる。第１プレート７４は、第２極７２Ｂに結合されている。この場合、第１プレート７４は、第２対向部８２を含んでいる。この構成により、磁石７２の発生する磁力を、磁気ギャップ５２Ａへ集中させることができる。
【００３２】
（第１プレート７４）
第１プレート７４は、第１面７４Ａと第２面７４Ｂを有している。第１面７４Ａは、第２上端８２Ａで第２対向部８２と連結されている。一方、第２面７４Ｂは、第２下端８２Ｂで第２対向部８２と連結されている。すなわち、第２面７４Ｂは、底部６２の上面６２Ａと対向して配置されている。そして、第１面７４Ａは、第１プレート７４において、第２面７４Ｂの反対の面に形成されている。なお、第１対向部８１が、底部６２の上面に対して垂直に立って設けられている場合、第２面７４Ｂの面積は、第１面７４Ａの面積に比べて小さい。したがって、第１面７４Ａから漏洩する磁束を少なくできる。その結果、さらに磁気ギャップ５２Ａの磁束密度の分布を一様にできる。
【００３３】
（磁気回路５２の特性について）
以上のように構成された磁気回路５２の磁気特性について、図を参照しながら説明する。図４Ａは、図３に示す磁気回路５２の磁気特性を示した特性図である。特性曲線９１は、図３に示す磁気回路５２の磁気特性を示している。図４Ｂは、比較例の磁気回路（第１の距離５２Ｂと第２の距離５２Ｃとを等しくした磁気回路）の磁気特性を示した特性図である。図４Ｃは、特性曲線の測定点を示す説明図である。特性曲線９２は、比較例の磁気回路の磁気特性を示している。
【００３４】
図４Ａおよび図４Ｂにおいて、縦軸は、磁気ギャップでの磁束密度の大きさを示している。なお、図４Ａの特性曲線９１は、図４Ｃに示す第１上端８１Ａと、第２上端８２Ａとの中点を通り、第１対向部８１と平行な中心線８３上での磁束密度を観察している。また、図４Ｃに示すように、第１対向部８１の中心と第２対向部８２の中心とを結んだ中心線８４と、中心線８３は、点８４Ａで交わっている。図４Ａの横軸は、図４Ｃに示す中心線８３上における点８４Ａからの距離を示している。なお、図４Ａにおいて、点８４Ａに対して右方向がプラスであり、点８４Ａに対して左方向をマイナスとしている。
【００３５】
また、図４Ｃに示す第１上端８１Ａと第２上端８２Ａとを結んだ線と、中心線８３は、点９３で交わっている。そして、図４Ａに示すように、点９３は点８４Ａに対して右方向に配置している。図４Ｃに示す第１下端８１Ｂと第２下端８２Ｂとを結んだ線と、中心線８３は、点９４で交わっている。そして、図４Ａに示すように、点９４は点８４Ａに対して左方向に配置している。すなわち、図４Ｃにおいて、点８４Ａに対して、点９３に向かう方向がプラスである。また、図４Ｃにおいて、点８４Ａに対して、点９４に向かう方向がマイナスである。
【００３６】
したがって、点８４Ａにおける磁束密度は、図４Ｃに示す磁気ギャップ５２Ａにおける中心線８４上での磁束密度を示している。また、点９３における磁束密度は、図４Ｃに示す第１上端８１Ａと第２上端８２Ａとの間の磁束密度を示している。さらに、点９４における磁束密度は、図４Ｃに示す第１下端８１Ｂと第２下端８２Ｂとの間の磁束密度を示している。
【００３７】
図４Ｂの特性曲線９２に示されるように、比較例の磁気回路は、磁気ギャップの磁束密度の分布に偏りを有している。特に、プラス側とマイナス側の磁束密度の特性曲線の対称性が損なわれている。そしてこのような従来の磁気回路へ図２Ａに示すボイスコイル５５Ａを配置した場合、磁束密度の分布に偏りを有しているので、ボイスコイル５５Ａが振動した場合、当該振動に乱れを生じる。
【００３８】
一方、図４Ａに示すように、特性曲線９１において点９４の磁束密度と、点９３の磁束密度の差は、小さい。また、特性曲線９１において、図４Ｃに示す中心線８４に対して、プラス側の磁束密度の特性曲線とマイナス側の磁束密度の特性曲線との対称性は、向上している。したがって、図４Ｃに示す磁気ギャップ５２Ａにおける磁束密度の分布の偏りが小さい。そして磁気ギャップ５２Ａ内に配置した、図２Ａに示すボイスコイル５５Ａの振動の乱れを小さくできる。その結果、振動板５４の振動の乱れが低減されるので、ラウドスピーカ５１から出力される音の歪みを低減できる。
【００３９】
図３に示すように、第２対向部８２は、第２上端８２Ａから第２下端８２Ｂまでを一直線に接続した形状である。この構成により、図４Ａに示す特性曲線９１において、点９３と点９４との間の磁束密度の特性の平坦度も向上している。したがって、磁気ギャップ５２Ａにおける磁束密度の分布の偏りを小さくできる。なお、図４Ｃに示す点９３と点９４との間の磁束密度の特性の平坦度は、第２対向部８２の形状を適宜変更することによって調整できる。また、図２Ａに示す磁気回路５２を上部５２Ｄ側から見た形状は、円形状に限られず、矩形状や、トラック状、あるいは楕円状でもかまわない。さらに、第１プレート７４は、折れ曲がり部（図示ぜず）を含んでも良い。折れ曲がり部は、第１プレート７４から折れ曲がっている。そして、折れ曲がり部は、磁石７２の下面に沿うように配置されている。この構成により、磁石７２の下面からセンターポール６３に向かう漏洩磁束を抑制できる。
【００４０】
（上記構成以外の好ましい構成例）
なお、磁気回路５２は、図２Ａに示すようなフレーム５３内に収納した構成に限られず、図２Ｂに示すようにフレーム５３の外に配置しても良い。この場合、磁気回路５２は、フレーム５３の中央の下端部の外面に結合される。
【００４１】
なお、ボイスコイル体５５は、ボビン５５Ｂを含む構成に限られず、ボビン５５Ｂを含まない構成でも良い。この場合、ボイスコイル５５Ａは、振動板５４へ直接に結合されている。
【００４２】
なお、第１対向部８１は、底部６２の上面に対して垂直に立って設けられていることが好ましい。この場合、第２対向部８２は、第１対向部８１に対して傾斜して配置されている。この構成によって、第２の距離５２Ｃを、第１の距離５２Ｂよりも大きくできる。また、センターポール６３を作製する工数の増加を抑制できる。
【００４３】
なお、第１プレート７４は、第２面７４Ｂを有した構成に限られず、第２面７４Ｂを設けなくても良い。この場合、第１面７４Ａや第２面７４Ｂは、平坦であることが好ましい。この構成により、第１面７４Ａや第２面７４Ｂの面積を小さくできる。したがって、第１面７４Ａや第２面７４Ｂから漏洩する磁束をさらに少なくできる。なお、第１面７４Ａや第２面７４Ｂは、平坦である構成に限られない。第１面７４Ａや第２面７４Ｂは、湾曲していても良い。あるいは、第１面７４Ａや第２面７４Ｂは、適宜凸部や凹部などを含んでも良い。
【００４４】
第１面７４Ａや第２面７４Ｂは、第２極７２Ｂに対して垂直に立っていることが好ましい。この構成により、第１面７４Ａや第２面７４Ｂの面積を小さくできる。したがって、第１面７４Ａや第２面７４Ｂから漏洩する磁束をさらに少なくできる。なお、第１面７４Ａや第２面７４Ｂは、第２極７２Ｂに対して垂直に立っている構成に限られず、第２極７２Ｂに対して傾斜していてもよい。この場合、第１面７４Ａと第２面７４Ｂとの間隔は、第２極７２Ｂに結合した側から、磁気ギャップ５２Ａに向かって徐々に狭くなっていることが好ましい。この構成により、第２極７２Ｂの面積を大きくできる。したがって、磁石７２の体積を大きくできるので、磁気ギャップ５２Ａの磁束密度を大きくできる。
【００４５】
第１面７４Ａは、第２対向部８２に対して第１の角度で交わるように配置されている。
【００４６】
また、第２面７４Ｂは、第２対向部８２に対して第２の角度で交わるように配置されている。一般的に、磁石７２から出力された磁気は、第１プレート７４における角部分に集中する。すなわち、磁気は、第２上端８２Ａと第２下端８２Ｂとに集中する。そこで、第２の角度を第１の角度よりも大きくしている。なお、第１の角度は、鋭角であることが好ましい。さらに、第２の角度は、鈍角であることが好ましい。この構成により、磁力は第２上端８２Ａに集中する。すなわち、第２下端８２Ｂでの磁束密度は、第２上端８２Ａでの磁束密度に比べて小さくなる。したがって、第２下端８２Ｂから漏洩する磁束を少なくできる。この構成により、さらに磁気ギャップ５２Ａの磁束密度の分布の偏りを小さくできる。
【００４７】
磁石７２は、ラジアル方向に着磁されていることが好ましい。磁石７２を上部から見た場合の形状は、環状である。この場合、第１極７２Ａは、磁石７２の外周の側面に形成されている。一方、第２極７２Ｂは、磁石７２の内周の側面に形成されている。したがって、第１プレート７４は、磁石７２の第２極７２Ｂの内側に結合されている。すなわち、第２対向部８２は、第１プレート７４において、第２極７２Ｂと結合した側面の反対の側面に形成されている。
【００４８】
ヨーク６１は、さらに筒部６４を含むことが好ましい。筒部６４は、底部６２の外周の端部から折れ曲がって形成されている。なお、筒部６４は、底部６２と磁気的に結合されている。この場合、筒部６４は、底部６２の上面６２Ａに対して、垂直に立っている。すなわち、筒部６４の内周の側面は、底部６２の上面６２Ａに対して、垂直に立っている。そして、第１極７２Ａを筒部の内周の側面に結合することにより、第１極７２Ａは、ヨーク６１と磁気的に結合されている。この構成により、磁気ギャップ５２Ａに磁束を集中させることができるので、磁気ギャップ５２Ａの磁束密度を向上できる。
【００４９】
図１に示すように、図２Ａに示す磁気回路５２を上部５２Ｄ側から見た形状は、円形であることが好ましい。この構成により、ラウドスピーカ５１の音の歪みを低減できる。また、図２Ａに示すボイスコイル５５Ａと磁気回路５２との当たりの発生を抑制できる。この場合、底部６２は円盤状であり、センターポール６３は、円柱状である。したがって、筒部６４やボビン５５Ｂは円筒状である。さらに、磁石７２と第１プレート７４は、円環状である。
【００５０】
（実施の形態１のラウドスピーカ５１にかかる磁気回路５２の変形例１）
図５は、上記ラウドスピーカ５１の変形例１にかかる磁気回路５２の上面図である。磁石７２は、分割磁石７３によって形成しても良い。この場合、複数の分割磁石７３を環状に配置することによって、磁石７２が形成されている。隣り合う分割磁石７３同士は、密着していることが好ましい。なお、隣り合う分割磁石７３同士は、密着している構成に限られず、離れて配置しても良い。この場合、隣り合う分割磁石７３の第１極７２Ａは、筒部６４によって橋渡しされた構成である。また、隣り合う分割磁石７３の第２極７２Ｂは、第１プレート７４によって橋渡しされた構成である。この構成により、磁気ギャップ５２Ａの周方向における磁束密度に偏りが発生することを抑制できる。
【００５１】
図３に示すように、磁気部７１は、磁石７２と第１プレート７４によって構成したが、この構成に限られない。たとえば、磁気部７１は、ボンド磁石によって形成しても良い。この場合、磁石７２は、ボンド磁石によって形成する。なお、第１プレート７４もボンド磁石によって形成することが好ましい。なお、第１プレート７４は、磁石７２と同じ方向に磁化されている。磁石７２と第１プレート７４は、一体に形成することが好ましい。この構成により、磁石７２と第１プレート７４とを接着する作業が不要である。したがって、磁気部７１の生産性が優れる。
【００５２】
（実施の形態１のラウドスピーカ５１にかかる磁気回路５２の変形例２）
図６は、上記ラウドスピーカ５１の変形例２にかかる、第２プレートを有した磁気回路５２の断面図である。磁気回路５２は、第２プレート７５を含んでも良い。第２プレート７５は、センターポール６３と磁気的に結合されている。この場合、第１対向部８１は、第２プレート７５に形成されている。そして、第１対向部８１は、底部６２の上面６２Ａの垂線に対して傾斜している。この場合、第２対向部８２は、底部６２の上面６２Ａの垂線に対して傾斜した構成に限られず、底部６２の上面６２Ａに対して垂直に設けられても良い。さらに、磁気回路５２は、第１プレート７４を設ける構成に限られず、第１プレート７４を設けなくてもよい。この場合、第２対向部８２は、磁石７２の第２極７２Ｂに形成されている。
【００５３】
磁気回路５２は、第２磁石７６を含んでもかまわない。この構成により、磁気ギャップ５２Ａでの磁束密度を大きくできる。磁石７２の磁束と、第２磁石７６の磁束は、共に同じ方向を向いている。すなわち、第２磁石７６も第１極７６Ａと第２極７６Ｂを有し、第２磁石７６の第１極７６Ａがセンターポール６３に結合されている。この構成により、第２磁石７６は、磁石７２と磁気的に直列に接続されるような向きに配置されている。そして、第２プレート７５は、第２磁石７６の第２極７６Ｂに結合されている。すなわち、第２磁石７６は、第２プレート７５とセンターポール６３との間に設けられている。
【００５４】
なお、磁気回路５２は、第２プレート７５を含む構成であるが、この構成に限られず、第２プレート７５を含まない構成でも良い。この場合、第１対向部８１は、第２磁石７６の第２極７６Ｂに形成されている。そしてこの場合、第１対向部８１は、底部６２の上面６２Ａに対して垂直に配置されている。
【００５５】
磁気回路５２は、第２磁石７６を含まない構成としても良い。この場合、第２プレート７５は、センターポール６３の外周の側面に直接結合されている。したがって、センターポール６３と第２プレート７５とは、一体に形成してもかまわない。さらに、第２対向部８２は、底部６２に対して垂直となるように設けてもよい。その結果、第１対向部８１は、第２対向部８２に対して傾斜して配置される。この場合、第２対向部８２は、磁石７２の第２極７２Ｂに形成しても良い。すなわち、第２極７２Ｂと第１対向部８１との間に磁気ギャップ５２Ａを形成できる。したがって、第１プレート７４は不要である。
【００５６】
（実施の形態１のラウドスピーカ５１にかかる磁気回路５２の変形例３）
図７は、上記ラウドスピーカ５１の変形例３にかかる、センターポール６３に磁気部７１を設けた場合の磁気回路５２の断面図である。この場合の磁気回路５２は、図６における磁石７２を含まなくても良い。この場合、磁気部７１は、第２プレート７５と第２磁石７６によって形成されている。したがって、第２磁石７６は、第２対向部８２と、第２上端８２Ａと、第２下端８２Ｂを含んでいる。一方、第１対向部８１と、第１上端８１Ａと、第１下端８１Ｂは、筒部６４の内周の側面に形成すれば良い。この場合、磁気回路５２は、図６における第１プレート７４を含まない。なお、磁気回路５２は、図６における第１プレート７４を含まない構成に限られず、第１プレート７４を含む構成でもよい。
【００５７】
（実施の形態２）
以下、実施の形態２におけるラウドスピーカに関し、特に磁気回路１５２について図面を用いて説明する。磁気回路１５２以外の構成は、実施の形態１のラウドスピーカ５１の構成と同様である。
【００５８】
図８は、磁気回路１５２の断面図である。磁気回路１５２は、内磁型である。磁気回路１５２は、ヨーク１６１と、磁気部１７１を含んでいる。磁気部１７１は、磁石１７２と、第１プレート１７４を含んでいる。ヨーク１６１は、底部６２と、筒部６４を含んでいる。したがって、磁石１７２は、底部６２の上面６２Ａの中央に搭載されている。そして、磁石１７２の第１極７２Ａは、底部６２と磁気的に結合されている。第１プレート１７４は、磁石１７２の第２極７２Ｂと結合されている。
【００５９】
磁石１７２は、柱状であり、第１プレート１７４は、平板状である。なお、磁気回路１５２を上から見た場合の形状は、円形であることが好ましい。この場合、磁石１７２は円柱状である。第１プレート１７４は、円板状である。そして、第１プレート１７４の外周の側面と、筒部６４の内周の側面との間に磁気ギャップ５２Ａが形成されている。この場合、第２対向部８２と第２上端８２Ａと第２下端８２Ｂは、第１プレート１７４の外周の側面に形成されている。一方、第１対向部８１と第１上端８１Ａと第１下端８１Ｂは、筒部６４の内周の側面に形成されている。したがって、第１対向部８１は、底部６２の上面６２Ａに対して垂直に配置されている。そして、第２対向部８２は、第１対向部８１に対して傾いて配置されている。
【００６０】
（実施の形態２のラウドスピーカにかかる磁気回路１５２の変形例）
図９は、上記ラウドスピーカの変形例にかかる、リング１７５を有した磁気回路１５２の断面図である。磁気回路１５２は、さらにリング１７５を含んでも良い。リング１７５は、第１対向部８１を含んでいる。そして、リング１７５は、筒部６４の内周の側面と結合されている。そして、第２対向部８２は、底部６２の上面６２Ａに対して垂直に配置されている。第１対向部８１は、第２対向部８２に対して傾いて配置されている。なお、リング１７５は、筒部６４と別々の部品として構成しているが、この構成に限られず、リング１７５と筒部６４は、一体に形成しても良い。なお、第２対向部８２は、底部６２の上面６２Ａに対して垂直に配置した構成に限られず、底部６２の上面６２Ａに対して傾斜していても良い。
【００６１】
（実施の形態３）
以下、実施の形態３におけるラウドスピーカに関し、特に磁気回路について図面を用いて説明する。
【００６２】
以下、実施の形態３におけるラウドスピーカに関し、特に磁気回路２５２について図面を用いて説明する。磁気回路２５２以外の構成は、実施の形態１のラウドスピーカ５１の構成と同様である。
【００６３】
図１０は、磁気回路２５２の断面図である。磁気回路２５２は外磁型である。磁気回路２５２は、ヨーク２６１と、磁気部２７１とを含んでいる。ヨーク２６１は、底部６２と、センターポール６３を含んでいる。この場合、磁石２７２と第１プレート２７４は、共に環状であり、中央に貫通孔が形成されている。なお、磁気回路２５２を上から見た場合の形状は、円形であることが好ましい。この場合、磁石２７２は円柱状である。第１プレート２７４は、円板状である。
【００６４】
磁石２７２の第１極７２Ａは、底部６２の上面６２Ａ上に搭載されている。第１プレート２７４は、磁石２７２の第２極７２Ｂの上に結合されている。そして、センターポール６３は、磁石２７２と第１プレート２７４の貫通孔に挿入されている。この構成により、第１プレート２７４の内周の側面と、センターポール６３の外周の側面との間に磁気ギャップ５２Ａが形成されている。この場合、第２対向部８２は、第１プレート２７４の内周の側面に形成されている。一方、第１対向部８１は、センターポール６３に形成されている。そして、第２対向部８２は、第１対向部８１に対して傾いている。
【００６５】
なお、磁気回路２５２は、外磁型であるが、この構成に限られず、外磁型に内磁型を組み合わせて構成してもかまわない。この場合、磁気回路２５２は、センターポール６３に代えて、図８に示す磁石１７２と第１プレート１７４を含んでいる。
【００６６】
（実施の形態３のラウドスピーカにかかる磁気回路２５２の変形例）
図１１は、上記ラウドスピーカの変形例にかかる、リング２７５を有した磁気回路２５２の断面図である。磁気回路２５２は、リング２７５を含んでも良い。リング２７５は、センターポール６３の外周の側面に結合されている。この場合、第１対向部８１は、リング２７５に設けられている。なお、第２対向部８２は、底部６２の上面６２Ａに対して垂直に配置されている。そして、第１対向部８１は、第２対向部８２に対して傾斜している。
【００６７】
なお、第２対向部８２は、底部６２の上面６２Ａに対して垂直に配置された構成に限られず、底部６２の上面６２Ａに対して傾斜していても良い。
【産業上の利用可能性】
【００６８】
本発明にかかる磁気回路は、磁気ギャップでの磁束密度の分布の偏りを小さくできるという効果を有し、各種の音響機器に用いられるラウドスピーカ等に用いると有用である。
【符号の説明】
【００６９】
５１  ラウドスピーカ
５２  磁気回路
５２Ａ  磁気ギャップ
５２Ｂ  第１の距離
５２Ｃ  第２の距離
５２Ｄ  上部
５２Ｅ  下部
５３  フレーム
５４  振動板
５４Ａ  振動板本体部
５４Ｂ  エッジ
５５  ボイスコイル体
５５Ａ  ボイスコイル
５５Ｂ  ボビン
６１  ヨーク
６２  底部
６２Ａ  上面
６２Ｂ  下面
６３  センターポール
６４  筒部
７１  磁気部
７２  磁石
７２Ａ  第１極
７２Ｂ  第２極
７３  分割磁石
７４  第１プレート
７４Ａ  第１面
７４Ｂ  第２面
７５  第２プレート
７６  第２磁石
７６Ａ  第１極
７６Ｂ  第２極
８１  第１対向部
８１Ａ  第１上端
８１Ｂ  第１下端
８２  第２対向部
８２Ａ  第２上端
８２Ｂ  第２下端
８３  中心線
８４  中心線
８４Ａ  点
９１  特性曲線
９２  特性曲線
９３  点
９４  点
１５２  磁気回路
１６１  ヨーク
１７１  磁気部
１７２  磁石
１７４  第１プレート
１７５  リング
２５２  磁気回路
２６１  ヨーク
２７１  磁気部
２７２  磁石
２７４  第１プレート
２７５  リング
【図１】
2016051744.tif 000003
【図２Ａ】
2016051744.tif 000004
【図２Ｂ】
2016051744.tif 000005
【図３】
2016051744.tif 000006
【図４Ａ】
2016051744.tif 000007
【図４Ｂ】
2016051744.tif 000008
【図４Ｃ】
2016051744.tif 000009
【図５】
2016051744.tif 000010
【図６】
2016051744.tif 000011
【図７】
2016051744.tif 000012
【図８】
2016051744.tif 000013
【図９】
2016051744.tif 000014
【図１０】
2016051744.tif 000015
【図１１】
2016051744.tif 000016
【国際調査報告】
2016051744.tif 000017
2016051744.tif 000018
2016051744.tif 000019
2016051744.tif 000020